【手続補正書】
【提出日】平成17年11月10日(2005.11.10)
【手続補正１】
【補正対象書類名】特許請求の範囲
【補正対象項目名】全文
【補正方法】変更
【補正の内容】
【特許請求の範囲】
【請求項１】
ブレード部（１３）と、
前記ブレード部に近接するスキンエンゲージ部（１２）とを備え、
前記スキンエンゲージ部は、不溶性金属塩を含む水溶液中の前記不溶性金属塩の量を減少させることができるキレート剤を含むことを特徴とするシェービングシステム（１０）。
【請求項２】
前記スキンエンゲージ部（１２）は、水反応性ポリマーおよび水不溶性ポリマーの少なくともいずれか一方を含むことを特徴とする請求項１記載のシェービングシステム。
【請求項３】
前記スキンエンゲージ部（１２）は、水反応性ポリマーと前記キレート剤とを含む固体高分子の帯状のシェービング補助部材（１４）を含むことを特徴とする請求項１記載のシェービングシステム。
【請求項４】
前記キレート剤は、前記不溶性金属塩の金属イオンとキレートを形成することができる官能基を有するポリマーであることを特徴とする請求項１記載のシェービングシステム。
【請求項５】
前記キレート剤は、非重合体であることを特徴とする請求項１記載のシェービングシステム。
【請求項６】
前記スキンエンゲージ部（１２）は、液体を収容する貯水部であり、
前記液体は、前記キレート剤を含むことを特徴とする請求項１記載のシェービングシステム。
【請求項７】
前記キレート剤は、約１５０℃以上の分解温度を有することを特徴とする請求項１記載のシェービングシステム。
【請求項８】
前記キレート剤は、約２００℃以上の分解温度を有することを特徴とする請求項１記載のシェービングシステム。
【請求項９】
前記キレート剤は、（−ＳＯｘ−ｙ）（Ｚ＋ｗ）、（−ＰＯｘ−ｙ）（Ｚ＋ｗ）および（Ｒ−ＣＯＯ−ｙ）（Ｚ＋ｘ）からなる郡から選択された官能基を備え、
前記ｘは、２，３または４であり、
前記ｙは、ｘより小さいか等しく、
前記Ｒは、アルキル基、アリール基およびアリールアルキル基のいずれかであり、
前記Ｚは、任意の陽イオンであり、
前記ｗは、１，２，３または４であることを特徴とする請求項１記載のシェービングシステム。
【請求項１０】
前記キレート剤は、ＥＤＴＡ（エチレンジアミン４酢酸）、カルシウムジナトリウムＥＤＴＡ、ジカリウムＥＤＴＡ、ジナトリウムＥＤＴＡ、メチルシクロデキストリン、ペンテト酸、ケイ酸カリウム、ケイ酸ナトリウム、グルコン酸ナトリウム、メタケイ酸ナトリウム、テトラナトリウムＥＤＴＡ、トリナトリウムＥＤＴＡ、ポリ（４−スチレンスルフォン酸ナトリウム）およびこれらの混合物の郡から選択されたものであることを特徴とする請求項１記載のシェービングシステム。
【請求項１１】
前記キレート剤は、ポリ（４−スチレンスルフォン酸ナトリウム）であることを特徴とする請求項１０記載のシェービングシステム。
【請求項１２】
前記キレート剤は、前記スキンエンゲージ部（１２）の外面の塗料として設けられていることを特徴とする請求項１記載のシェービングシステム。
【手続補正２】
【補正対象書類名】明細書
【補正対象項目名】０００１
【補正方法】削除
【補正の内容】
【手続補正３】
【補正対象書類名】明細書
【補正対象項目名】００１３
【補正方法】変更
【補正の内容】
【００１３】
本発明において用いるのに適した主なキレート剤は、以下に示す官能基を１またはそれ以上含んでいてもよい。例えば、スルホン酸塩、リン酸塩、ホスフィン、亜リン酸塩、カルボン酸、アミン、ケイ酸塩等である。キレート剤の例としては、エチレンジアミン４酢酸（ＥＤＴＡ）、ニトリロ三酢酸、エチレングリコール−ビス−（β−アミノエチルエーテル）−Ｎ、Ｎ−四酢酸、（エチレンジオキシ）−ジエチレン−ジニトリロ−４酢酸、サリチルアルドキシム、キノリノール、ジアミノシクロヘキサン−４酢酸、ジエチレン−トリアミノ−５酢酸、ジメチルグリオキシム、ベンゾインオキシム、トリエチレントラミン、デスフェリオキサミンカルシウムジナトリウムＥＤＴＡ、ジカリウムＥＤＴＡ、ジナトリウムＥＤＴＡ、メチルシクロデキストリン、ペンテト酸、クエン酸カリウム、クエン酸ナトリウム、グルコン酸ナトリウム、メタケイ酸ナトリウム、テトラナトリウムＥＤＴＡ、トリナトリウムＥＤＴＡ、およびポリ（４−スチレンスルホン酸ナトリウム）が含まれる。キレート剤の他の例は、例えば、１９９６年１月３０日発行の米国特許第５，４８７，８８４号明細書、１９９８年４月２１日発行の米国特許５，７４１，９４５号明細書、１９９８年９月１日発行の米国特許第５，８０１，１３９号明細書、および、Ｔｈｅ  Ｃｏｓｍｅｔｉｃ，Ｔｏｉｌｅｔｒｙ，ａｎｄ  Ｆｒａｇｒａｎｃｅ  Ａｓｓｏｃｉａｔｉｏｎ発行の「Ｉｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ  ａｎｄ  Ｈａｎｄｂｏｏｋ」２００２年第９版４巻２８９２ページに記載されている。
【手続補正４】
【補正対象書類名】明細書
【補正対象項目名】００１４
【補正方法】変更
【補正の内容】
【００１４】
本発明に用いられる好ましいキレート剤は、（−ＳＯｘ−ｙ）（Ｚ＋ｗ），（−ＰＯｘ―ｙ）（Ｚ＋ｗ），（Ｒ−ＣＯＯ−ｙ）（Ｚ＋ｗ）からなる郡から選択された官能基を有する。ここで、ｘは２，３または４であり、ｙはｘより小さいかまたはｘに等しく、Ｒは任意のアルキル基、アリールまたはアリールアルキル基であり、Ｚは任意の１または複数の陽イオンであり、ｗは１，２，３または４である。好ましいキレート剤としては、カルシウムジナトリウムＥＤＴＡ、ジカリウムＥＤＴＡ、ジナトリウムＥＤＴＡ、メチルシクロデキストリン、ペンテト酸、クエン酸カリウム、クエン酸ナトリウム、グルコン酸ナトリウム、メタケイ酸ナトリウム、テトラナトリウムＥＤＴＡ、トリナトリウムＥＤＴＡ、ポリ（４−スチレンスルホン酸ナトリウム）が挙げられる。特に好ましいキレート剤は、ポリ（４−スチレンスルホン酸ナトリウム）である。
【手続補正５】
【補正対象書類名】明細書
【補正対象項目名】００１８
【補正方法】変更
【補正の内容】
【００１８】
図１を参照すると、シェービングシステム１０においては、スキンエンゲージング部１２を含むシェービングヘッド１１が備えられ、３枚のブレード部材１３がスキンエンゲージング部１２に近接して固定されている。シェービングヘッド１１は、さらに、シェービングヘッドの立下りエッジ（キャップとも称される）の近くに取り付けられた固体重合体からなる帯状のシェービング補助部材１４を備える。あるいは、帯状のシェービング補助部材は、シェービングヘッドの立上がりエッジ（ガード部とも称される）またはシェービングヘッドの両方のエッジに配置されていてもよい。シェービングヘッド１１は、概してシェービング用のハンドル１５に付けられる。シェービングヘッドは、ハンドルが再利用されシェービングヘッドが１度またはそれ以上使用された後に取り外されるシェービングシステムの場合には、ハンドルから取り外し可能に取り付けられるように設計されていてもよい。あるいは、剃刀刃が使い捨てできる場合には、シェービングヘッドは、取り外しできないようにハンドルに（またはハンドルと一体となって）取り付けられていてもよい。この場合のシェービングヘッドにおいては、ハンドルとカートリッジとは、１度またはそれ以上使用された後に一式として一緒に取り外される。ここで用いられる「シェービングシステム」は、上記の両方のタイプのシェービングヘッドを含んでいる。
【手続補正６】
【補正対象書類名】明細書
【補正対象項目名】００２８
【補正方法】変更
【補正の内容】
【００２８】
本発明の一形態においては、キレート剤は、キレート剤をシェービングシステムの構成要素を構成するポリマーと混合および共押出することによって、シェービングヘッドのガードもしくはキャップまたは帯状のシェービング補助部材等のシェービングシステムの構成要素の内部に供給される。例えば、シェービングヘッドを製造する際に、ポリ（４−スチレンスルフォン酸ナトリウム）は、ポリスチレンと混合され、シェービングヘッドの筐体を形成するように共押出されてもよい。キレート剤は、シェービングシステムの構成要素の内部に供給される際、シェービングシステムの構成要素の総重量に基づいて、主として約０．１〜１０重量％、好ましくは約０．５〜６重量％、さらに好ましくは約１〜４重量％供給される。あるいは、シェービングヘッドのスキンエンゲージ部は、キレート剤を含み任意に他の従来のシェービング補助材料（以下に詳述されている）を含む液体を含む貯水部または空洞部を備えていてもよい。その液体は、２００１年１０月９日発行の米国特許第６，２９８，５５８号明細書に開示されているシェービングヘッドの孔を通して供給されてもよい。キレート剤が押出成型の条件や他の成型条件にさらされる場合、キレート剤は、加工温度よりも高い分解温度を持つことが好ましい。本発明のキレート剤は、１５０℃以上の分解温度を持つことが好ましく、約２００℃以上の分解温度を持つことがより好ましく、約２５０℃以上の分解温度を持つことがさらに好ましい。このように、本発明の本形態においては、外面および内部部分を持つ固体高分子（少なくとも（ｉ）水反応性ポリマーおよび（ｉｉ）水不溶性ポリマーのいずれか一方を含む高分子）、およびキレート剤を含むシェービングシステムの構成要素が設けられている。
【手続補正７】
【補正対象書類名】明細書
【補正対象項目名】００２９
【補正方法】変更
【補正の内容】
【００２９】
本発明の他の形態においては、キレート剤は、帯状のシェービング補助部材とともに設けられている。一般的には、帯状のシェービング補助部材は、シェービングヘッドのスキンエンゲージ部の後部の開口部に固定されており、髭剃りの特性を改善するためにシェービングの際にストリップによって放出される１またはそれ以上の水反応性ポリマーから構成される。帯状のシェービング補助部材１４は、図１に示すようにシェービングヘッド１１の立下りに位置しているものの、シェービング補助ストリップは、シェービングヘッドのいずれかのスキンエンゲージ部（例えば、スキンエンゲージ部の立上り部）に位置していてもよく、適切とみなされる大きさまたは形状に加工されてもよい。一般的に、帯状のシェービング補助部材は、帯状のシェービング補助部材の総重量に基づいて、約０〜４０重量％、好ましくは約１０〜３５重量％の１またはそれ以上の水不溶性ポリマーと、約５０〜９９．９重量％、好ましくは約５９〜８９．５重量％の１またはそれ以上の水反応性ポリマーと、約０．１〜１０重量％、好ましくは約０．５〜６重量％、より好ましくは約１〜４重量％の１またはそれ以上のキレート剤から構成される。
【手続補正８】
【補正対象書類名】明細書
【補正対象項目名】００３６
【補正方法】変更
【補正の内容】
【００３６】
ＰＳＳＮａが添加されたビーカにおいては、ＰＳＳＮａの添加量にかかわらずＣａ＋２の量がほぼ２倍に増加した（表１を参照）。